(57)【要約】【課題】スキャン装置が原稿から画像を取得して、情報処理装置がその画像について情報処理を実行するような情報処理システムに関して、ネットワーク等を介してスキャン装置から情報処理装置に画像を送信するための操作を簡易化すること。【解決手段】特定の情報処理装置に特定の情報処理を実行させるための画像と、前記特定の情報処理装置を特定するための画像が描画された原稿から画像を取得する画像取得手段と、前記画像から前記特定の情報処理装置を特定する画像処理手段と、特定された前記情報処理装置に前記画像を送信する画像送信手段とを備えることを特徴とするスキャン装置。【選択図】    図５
2004310297.tif 000002
【特許請求の範囲】
【請求項１】
特定の情報処理装置に特定の情報処理を実行させるための画像と、前記特定の情報処理装置を特定するための画像が描画された原稿から画像を取得する画像取得手段と、前記画像から前記特定の情報処理装置を特定する画像処理手段と、特定された前記情報処理装置に前記画像を送信する画像送信手段とを備えることを特徴とするスキャン装置。
【請求項２】
請求項１に記載のスキャン装置から前記画像を受信する画像受信手段と、前記画像について前記特定の情報処理を実行する情報処理手段とを備えることを特徴とする情報処理装置。
【請求項３】
特定の情報処理装置に特定の情報処理を実行させるための画像と、前記特定の情報処理装置を特定するための画像と、前記特定の情報処理を特定するための画像が描画された原稿から画像を取得する画像取得手段と、前記画像から前記特定の情報処理装置と前記特定の情報処理を特定する画像処理手段と、特定された前記情報処理装置に前記画像と前記特定の情報処理の特定結果を送信する画像送信手段とを備えることを特徴とするスキャン装置。
【請求項４】
請求項３に記載のスキャン装置から前記画像と前記特定の情報処理の特定結果を受信する画像受信手段と、前記画像について特定された前記情報処理を実行する情報処理手段とを備えることを特徴とする情報処理装置。
【請求項５】
特定の情報処理装置に特定の情報処理を実行させるための画像と、前記特定の情報処理装置を特定するための画像と、前記特定の情報処理を特定するための画像が描画された原稿から画像を取得する画像取得手段と、前記画像から前記特定の情報処理装置を特定する画像処理手段と、特定された前記情報処理装置に前記画像を送信する画像送信手段とを備えることを特徴とするスキャン装置。
【請求項６】
請求項５に記載のスキャン装置から前記画像を受信する画像受信手段と、前記画像から前記特定の情報処理を特定する画像処理手段と、前記画像について特定された前記情報処理を実行する情報処理手段とを備えることを特徴とする情報処理装置。
【請求項７】
特定の情報処理装置に特定の情報処理を実行させるための画像と、前記特定の情報処理装置を特定するための画像が描画された原稿から取得された画像をスキャン装置から受信する画像受信手段と、前記画像から前記特定の情報処理装置を特定する画像処理手段と、特定された前記情報処理装置に前記画像を送信する画像送信手段とを備えることを特徴とする中継処理装置。
【請求項８】
請求項７に記載の中継処理装置から前記画像を受信する画像受信手段と、前記画像について前記特定の情報処理を実行する情報処理手段とを備えることを特徴とする情報処理装置。
【請求項９】
特定の情報処理装置に特定の情報処理を実行させるための画像と、前記特定の情報処理装置を特定するための画像と、前記特定の情報処理を特定するための画像が描画された原稿から取得された画像をスキャン装置から受信する画像受信手段と、前記画像から前記特定の情報処理装置と前記特定の情報処理を特定する画像処理手段と、特定された前記情報処理装置に前記画像と前記特定の情報処理の特定結果を送信する画像送信手段とを備えることを特徴とする中継処理装置。
【請求項１０】
請求項９に記載の中継処理装置から前記画像と前記特定の情報処理の特定結果を受信する画像受信手段と、前記画像について特定された前記情報処理を実行する情報処理手段とを備えることを特徴とする情報処理装置。
【請求項１１】
特定の情報処理装置に特定の情報処理を実行させるための画像と、前記特定の情報処理装置を特定するための画像と、前記特定の情報処理を特定するための画像が描画された原稿から取得された画像をスキャン装置から受信する画像受信手段と、前記画像から前記特定の情報処理装置を特定する画像処理手段と、特定された前記情報処理装置に前記画像を送信する画像送信手段とを備えることを特徴とする中継処理装置。
【請求項１２】
請求項１１に記載の中継処理装置から前記画像を受信する画像受信手段と、前記画像から前記特定の情報処理を特定する画像処理手段と、前記画像について特定された前記情報処理を実行する情報処理手段とを備えることを特徴とする情報処理装置。
【発明の詳細な説明】
【０００１】
【発明の属する技術分野】
本発明は、スキャナ、スキャナとして機能する複合機、スキャナとして機能する融合機等のスキャン装置、パーソナルコンピュータ、サーバコンピュータ等の情報処理装置、パーソナルコンピュータ、サーバコンピュータ等の中継処理装置に関する。
【０００２】
【従来の技術】
スキャナに関する技術として、文字画像や符号画像が描画された原稿から画像を取得して、その画像から文字や符号を認識するような技術が知られている。前者の技術としてＯＣＲ（Ｏｐｔｉｃａｌ  Ｃｈａｒａｃｔｅｒ  Ｒｅｃｏｇｎｉｔｉｏｎ）技術が、後者の技術としてバーコード技術が広く知られている。
【０００３】
【特許文献１】
特開平７−１５４４５６号公報
【０００４】
【発明が解決しようとする課題】
スキャナが原稿から画像を取得して、サーバコンピュータがその画像について情報処理を実行するような情報処理システムが考えられる。例えば、スキャナが文字画像や符号画像が描画された原稿から画像を取得して、サーバコンピュータがその画像から文字や符号を認識してデータベース化するのである。このようにして例えば、アンケートや注文が記入されたアンケート用紙や注文用紙から画像を取得して、その画像からアンケートや注文を認識してデータベース化するのである。
【０００５】
この場合、スキャナからサーバコンピュータに画像を提供する必要がある。この場合、ネットワーク等を介してスキャナからサーバコンピュータに画像を送信するようにすると便利であるが、オペレーションパネル等により送信先（サーバコンピュータ）を入力する入力操作が必要になると面倒である。
【０００６】
したがって、本発明は、スキャン装置が原稿から画像を取得して、情報処理装置がその画像について情報処理を実行するような情報処理システムに関して、ネットワーク等を介してスキャン装置から情報処理装置に画像を送信するための操作を簡易化することを課題とする。
【０００７】
【課題を解決するための手段】
請求項１に記載の発明（スキャン装置）は、特定の情報処理装置に特定の情報処理を実行させるための画像と、前記特定の情報処理装置を特定するための画像が描画された原稿から画像を取得する画像取得手段と、前記画像から前記特定の情報処理装置を特定する画像処理手段と、特定された前記情報処理装置に前記画像を送信する画像送信手段とを備える。
【０００８】
請求項２に記載の発明（情報処理装置）は、請求項１に記載のスキャン装置から前記画像を受信する画像受信手段と、前記画像について前記特定の情報処理を実行する情報処理手段とを備える。
【０００９】
請求項３に記載の発明（スキャン装置）は、特定の情報処理装置に特定の情報処理を実行させるための画像と、前記特定の情報処理装置を特定するための画像と、前記特定の情報処理を特定するための画像が描画された原稿から画像を取得する画像取得手段と、前記画像から前記特定の情報処理装置と前記特定の情報処理を特定する画像処理手段と、特定された前記情報処理装置に前記画像と前記特定の情報処理の特定結果を送信する画像送信手段とを備える。
【００１０】
請求項４に記載の発明（情報処理装置）は、請求項３に記載のスキャン装置から前記画像と前記特定の情報処理の特定結果を受信する画像受信手段と、前記画像について特定された前記情報処理を実行する情報処理手段とを備える。
【００１１】
請求項５に記載の発明（スキャン装置）は、特定の情報処理装置に特定の情報処理を実行させるための画像と、前記特定の情報処理装置を特定するための画像と、前記特定の情報処理を特定するための画像が描画された原稿から画像を取得する画像取得手段と、前記画像から前記特定の情報処理装置を特定する画像処理手段と、特定された前記情報処理装置に前記画像を送信する画像送信手段とを備える。
【００１２】
請求項６に記載の発明（情報処理装置）は、請求項５に記載のスキャン装置から前記画像を受信する画像受信手段と、前記画像から前記特定の情報処理を特定する画像処理手段と、前記画像について特定された前記情報処理を実行する情報処理手段とを備える。
【００１３】
請求項７に記載の発明（中継処理装置）は、特定の情報処理装置に特定の情報処理を実行させるための画像と、前記特定の情報処理装置を特定するための画像が描画された原稿から取得された画像をスキャン装置から受信する画像受信手段と、前記画像から前記特定の情報処理装置を特定する画像処理手段と、特定された前記情報処理装置に前記画像を送信する画像送信手段とを備える。
【００１４】
請求項８に記載の発明（情報処理装置）は、請求項７に記載の中継処理装置から前記画像を受信する画像受信手段と、前記画像について前記特定の情報処理を実行する情報処理手段とを備える。
【００１５】
請求項９に記載の発明（中継処理装置）は、特定の情報処理装置に特定の情報処理を実行させるための画像と、前記特定の情報処理装置を特定するための画像と、前記特定の情報処理を特定するための画像が描画された原稿から取得された画像をスキャン装置から受信する画像受信手段と、前記画像から前記特定の情報処理装置と前記特定の情報処理を特定する画像処理手段と、特定された前記情報処理装置に前記画像と前記特定の情報処理の特定結果を送信する画像送信手段とを備える。
【００１６】
請求項１０に記載の発明（情報処理装置）は、請求項９に記載の中継処理装置から前記画像と前記特定の情報処理の特定結果を受信する画像受信手段と、前記画像について特定された前記情報処理を実行する情報処理手段とを備える。
【００１７】
請求項１１に記載の発明（中継処理装置）は、特定の情報処理装置に特定の情報処理を実行させるための画像と、前記特定の情報処理装置を特定するための画像と、前記特定の情報処理を特定するための画像が描画された原稿から取得された画像をスキャン装置から受信する画像受信手段と、前記画像から前記特定の情報処理装置を特定する画像処理手段と、特定された前記情報処理装置に前記画像を送信する画像送信手段とを備える。
【００１８】
請求項１２に記載の発明（情報処理装置）は、請求項１１に記載の中継処理装置から前記画像を受信する画像受信手段と、前記画像から前記特定の情報処理を特定する画像処理手段と、前記画像について特定された前記情報処理を実行する情報処理手段とを備える。
【００１９】
【発明の実施の形態】
本発明の実施の形態について説明する。
【００２０】
図１は、本発明（スキャン装置）の実施の形態の例であるスキャナ１００を表す。図１のスキャナ１００は、撮像部１１０と、通信部１１１と、ＵＩ部１１２と、情報処理部１１３とを備える。
【００２１】
撮像部１１０は、撮像素子やフラットベッド等により構成され、原稿から画像を取得するための構成部分である。通信部１１１は、ＭＯＤＥＭやＮＩＣ（ネットワークインタフェースコントローラ）等により構成され、ネットワーク等を介して画像送信等の通信を実行するための構成部分である。ＵＩ部１１２は、表示パネルや操作ボタン等により構成され、スキャナ１００のユーザインタフェースとなる構成部分である。情報処理部１１３は、ＣＰＵやＲＡＭやＲＯＭ等により構成され、撮像部１１０や通信部１１１やＵＩ部１１２の制御や画像処理等の情報処理を実行するための構成部分である。
【００２２】
図２は、本発明（情報処理装置）の実施の形態の例であるサーバコンピュータ２００を表す。図２のサーバコンピュータ２００は、通信部２１１と、ＵＩ部２１２と、情報処理部２１３とを備える。
【００２３】
通信部２１１は、ＭＯＤＥＭやＮＩＣ等により構成され、ネットワーク等を介して画像受信等の通信を実行するための構成部分である。ＵＩ部２１２は、ディスプレイやキーボードやマウス等により構成され、サーバコンピュータ２００のユーザインタフェースとなる構成部分である。情報処理部２１３は、ＣＰＵやＲＡＭやＲＯＭやＨＤＤ等により構成され、通信部２１１やＵＩ部２１２の制御や画像処理等の情報処理を実行するための構成部分である。
【００２４】
図３は、本発明（中継処理装置）の実施の形態の例である中継処理用サーバコンピュータ３００を表す。図３の中継処理用サーバコンピュータ３００は、通信部３１１と、ＵＩ部３１２と、情報処理部３１３とを備える。
【００２５】
通信部３１１は、ＭＯＤＥＭやＮＩＣ等により構成され、ネットワーク等を介して画像送信や画像受信等の通信を実行するための構成部分である。ＵＩ部３１２は、ディスプレイやキーボードやマウス等により構成され、中継処理用サーバコンピュータ３００のユーザインタフェースとなる構成部分である。情報処理部３１３は、ＣＰＵやＲＡＭやＲＯＭやＨＤＤ等により構成され、通信部３１１やＵＩ部３１２の制御や画像処理等の情報処理を実行するための構成部分である。
【００２６】
（第１実施例）
図４は、情報処理システムの第１実施例を表す。図４の情報処理システムは、スキャナ１００と、サーバコンピュータ２００Ａと、サーバコンピュータ２００Ｂにより構成される。スキャナ１００は、図１のスキャナ１００であり、サーバコンピュータ２００Ａとサーバコンピュータ２００Ｂは、図２のサーバコンピュータ２００である。これらはイーサネット（登録商標）等のネットワーク４００により相互に接続される。
【００２７】
第１実施例では、図５の原稿（スキャン原稿）５００から画像（画像データ）を取得して、その画像について情報処理を実行する。
【００２８】
図５Ａの原稿５００Ａはアンケート用紙であり、アンケートを記入するための記入領域５１０Ａと、サーバコンピュータ２００Ａのサーバ名「ｓｖＡ．ｒｉｃｏｈ．ｃｏ．ｊｐ」が印刷されたサーバ名印刷領域５２０Ａにより構成される。第１実施例では、スキャナ１００が原稿５００Ａから画像を取得して、サーバコンピュータ２００Ａがその画像からアンケートを認識して集計する。すなわち、記入領域５１０Ａは、サーバコンピュータ２００Ａにアンケート認識集計処理を実行させるためのアンケートを記入するための領域であり、サーバ名印刷領域５２０Ａは、サーバコンピュータ２００Ａを特定するためのサーバ名が印刷された領域である。
【００２９】
図５Ｂの原稿５００Ｂは注文用紙であり、注文を記入するための記入領域５１０Ｂと、サーバコンピュータ２００Ｂのサーバ名「ｓｖＢ．ｒｉｃｏｈ．ｃｏ．ｊｐ」が印刷されたサーバ名印刷領域５２０Ｂにより構成される。第１実施例では、スキャナ１００が原稿５００Ｂから画像を取得して、サーバコンピュータ２００Ｂがその画像から注文を認識して集計する。すなわち、記入領域５１０Ｂは、サーバコンピュータ２００Ｂに注文認識集計処理を実行させるための注文を記入するための領域であり、サーバ名印刷領域５２０Ｂは、サーバコンピュータ２００Ｂを特定するためのサーバ名が印刷された領域である。
【００３０】
第１実施例では、図４のように、スキャナ１００は、情報処理部１１３により実現される機能ブロックとして画像処理部１２０を備えるものとして、サーバコンピュータ２００Ａは、情報処理部２１３により実現される機能ブロックとしてアンケート認識集計処理部２３０Ａを備えるものとして、サーバコンピュータ２００Ｂは、情報処理部２１３により実現される機能ブロックとして注文認識集計処理部２３０Ｂを備えるものとする。
【００３１】
以下、図６のフローチャートに基づいて第１実施例について説明する。
【００３２】
スキャナ１００において、図５Ａの原稿５００Ａ（アンケート用紙）の記入領域５１０Ａの記入欄にアンケートが記入されて、撮像部１１０にその原稿５００Ａがセットされて、ＵＩ部１１２によりスキャンスタート操作が入力されると、撮像部１１０が、その原稿５００Ａの原稿面全体をスキャンして、その原稿５００Ａから画像を取得（Ｓ１１１）する。
【００３３】
続いて、画像処理部１２０が、その画像からサーバ名印刷領域５２０Ａに相当する部分画像を切り出し（Ｓ１１２）て、その部分画像について画像処理を実行して、その部分画像からサーバコンピュータ２００Ａを特定（Ｓ１１３）する。具体的に言うとここでは、部分画像（サーバ名に係る文字画像）についてＯＣＲ処理を実行して、文字画像を文字データに変換して、サーバコンピュータ２００Ａのサーバ名を取得することをもってサーバコンピュータ２００Ａを特定する。なお、部分画像の切出位置はここでは予め規定しておくものとする。
【００３４】
続いて、通信部１１１が、その部分画像から特定されたサーバコンピュータ２００Ａに画像（原稿５００Ａから取得された画像）を含む処理要求を送信（Ｓ１１４）する。具体的に言うとここでは、ＤＮＳ（Ｄｏｍａｉｎ  Ｎａｍｅ  Ｓｅｒｖｅｒ）に問い合わせて、サーバコンピュータ２００Ａのサーバ名からサーバコンピュータ２００ＡのＩＰアドレスを取得して、そのＩＰアドレスを利用してＴＣＰ／ＩＰでネットワーク４００を介してサーバコンピュータ２００Ａに画像を含む処理要求を送信する。
【００３５】
サーバコンピュータ２００Ａにおいて、通信部２１１が、画像（原稿５００Ａから取得された画像）を含む処理要求を受信（Ｓ１２１）すると、その処理要求に応じて、アンケート認識集計処理部２３０Ａが、その画像についてアンケート認識集計処理を実行（Ｓ１２２）する。ここでは、その画像から記入領域５１０Ａの記入欄に相当する部分画像を切り出して、その部分画像について画像処理を実行して、その部分画像からアンケートを認識して集計する。具体的に言うと、部分画像（アンケートに係る文字画像）についてＯＣＲ処理を実行して、文字画像を文字データに変換して、アンケートを認識して集計する。なお、部分画像の切出位置はここでは予め規定しておくものとする。
【００３６】
ここでは、図５Ａの原稿５００Ａ（アンケート用紙）について説明したが、図５Ｂの原稿５００Ｂ（注文用紙）についても同様である。
【００３７】
このように、第１実施例では、スキャナ１００が、サーバコンピュータ２００Ａやサーバコンピュータ２００Ｂのような特定のサーバコンピュータ２００にアンケート認識集計処理や注文認識集計処理のような特定の情報処理を実行させるための画像が描画された原稿５００から画像を取得して、その画像から特定のサーバコンピュータ２００を特定して、特定されたサーバコンピュータ２００にその画像を送信して、サーバコンピュータ２００が、スキャナ１００からその画像を受信して、その画像について特定の情報処理を実行する。
【００３８】
これにより、第１実施例では、ＵＩ部１１２により送信先（サーバコンピュータ２００）を入力する入力操作が不要になり、ネットワーク４００を介してスキャナ１００からサーバコンピュータ２００に画像を送信するための操作が簡易化される。個々のユーザは、どのサーバコンピュータ２００に画像を送信するかを意識する必要がないのである。
【００３９】
第１実施例では、１台のスキャナ１００と２台以上のサーバコンピュータ２００により構成される情報処理システムについて説明したが、本発明は、１台のスキャナ１００と１台のサーバコンピュータ２００により構成される情報処理システム、２台以上のスキャナ１００と１台のサーバコンピュータ２００により構成される情報処理システム、２台以上のスキャナ１００と２台以上のサーバコンピュータ２００により構成される情報処理システムについても同様に適用できる。
【００４０】
（第２実施例）
図７は、情報処理システムの第２実施例を表す。図７の情報処理システムは、スキャナ１００と、サーバコンピュータ２００ＡＢにより構成される。スキャナ１００は、図１のスキャナ１００であり、サーバコンピュータ２００ＡＢは、図２のサーバコンピュータ２００である。これらはイーサネット（登録商標）等のネットワーク４００により相互に接続される。
【００４１】
第２実施例では、図８の原稿（スキャン原稿）５００から画像（画像データ）を取得して、その画像について情報処理を実行する。
【００４２】
図８Ａの原稿５００Ａはアンケート用紙であり、アンケートを記入するための記入領域５１０Ａと、サーバコンピュータ２００ＡＢのサーバ名「ｓｖＡＢ．ｒｉｃｏｈ．ｃｏ．ｊｐ」が印刷されたサーバ名印刷領域５２０Ａと、アンケート認識集計処理の処理名「処理Ａ」が印刷された処理名印刷領域５３０Ａにより構成される。第２実施例では、スキャナ１００が原稿５００Ａから画像を取得して、サーバコンピュータ２００ＡＢがその画像からアンケートを認識して集計する。すなわち、記入領域５１０Ａは、サーバコンピュータ２００ＡＢにアンケート認識集計処理を実行させるためのアンケートを記入するための領域であり、サーバ名印刷領域５２０Ａは、サーバコンピュータ２００ＡＢを特定するためのサーバ名が印刷された領域であり、処理名印刷領域５３０Ａは、アンケート認識集計処理を特定するための処理名が印刷された領域である。
【００４３】
図８Ｂの原稿５００Ｂは注文用紙であり、注文を記入するための記入領域５１０Ｂと、サーバコンピュータ２００ＡＢのサーバ名「ｓｖＡＢ．ｒｉｃｏｈ．ｃｏ．ｊｐ」が印刷されたサーバ名印刷領域５２０Ｂと、注文認識集計処理の処理名「処理Ｂ」が印刷された処理名印刷領域５３０Ｂにより構成される。第２実施例では、スキャナ１００が原稿５００Ｂから画像を取得して、サーバコンピュータ２００ＡＢがその画像から注文を認識して集計する。すなわち、記入領域５１０Ｂは、サーバコンピュータ２００ＡＢに注文認識集計処理を実行させるための注文を記入するための領域であり、サーバ名印刷領域５２０Ｂは、サーバコンピュータ２００ＡＢを特定するためのサーバ名が印刷された領域であり、処理名印刷領域５３０Ｂは、注文認識集計処理を特定するための処理名が印刷された領域である。
【００４４】
第２実施例では、図７のように、スキャナ１００は、情報処理部１１３により実現される機能ブロックとして画像処理部１２０を備えるものとして、サーバコンピュータ２００ＡＢは、情報処理部２１３により実現される機能ブロックとしてアンケート認識集計処理部２３０Ａと注文認識集計処理部２３０Ｂとを備えるものとする。
【００４５】
以下、図９のフローチャートに基づいて第２実施例について説明する。
【００４６】
スキャナ１００において、図８Ａの原稿５００Ａ（アンケート用紙）の記入領域５１０Ａの記入欄にアンケートが記入されて、撮像部１１０にその原稿５００Ａがセットされて、ＵＩ部１１２によりスキャンスタート操作が入力されると、撮像部１１０が、その原稿５００Ａの原稿面全体をスキャンして、その原稿５００Ａから画像を取得（Ｓ２１１）する。
【００４７】
続いて、画像処理部１２０が、その画像からサーバ名印刷領域５２０Ａと処理名印刷領域５３０Ａに相当する部分画像を切り出し（Ｓ２１２）て、その部分画像について画像処理を実行して、その部分画像からサーバコンピュータ２００ＡＢとアンケート認識集計処理を特定（Ｓ２１３）する。具体的に言うとここでは、部分画像（サーバ名と処理名に係る文字画像）についてＯＣＲ処理を実行して、文字画像を文字データに変換して、サーバコンピュータ２００ＡＢのサーバ名とアンケート認識集計処理の処理名を取得することをもってサーバコンピュータ２００ＡＢとアンケート認識集計処理を特定する。なお、部分画像の切出位置はここでは予め規定しておくものとする。
【００４８】
続いて、通信部１１１が、その部分画像から特定されたサーバコンピュータ２００ＡＢに画像（原稿５００Ａから取得された画像）とアンケート認識集計処理の特定結果を含む処理要求を送信（Ｓ２１４）する。具体的に言うとここでは、ＤＮＳ（Ｄｏｍａｉｎ  Ｎａｍｅ  Ｓｅｒｖｅｒ）に問い合わせて、サーバコンピュータ２００ＡＢのサーバ名からサーバコンピュータ２００ＡＢのＩＰアドレスを取得して、そのＩＰアドレスを利用してＴＣＰ／ＩＰでネットワーク４００を介してサーバコンピュータ２００ＡＢに画像とアンケート認識集計処理の処理名を含む処理要求を送信する。
【００４９】
サーバコンピュータ２００ＡＢにおいて、通信部２１１が、画像（原稿５００Ａから取得された画像）とアンケート認識集計処理の特定結果を含む処理要求を受信（Ｓ２２１）すると、その処理要求に応じて、情報処理部２１３が、その特定結果を利用してアンケート認識集計処理部２３０Ａにそのアンケート認識集計処理を振り分け（Ｓ２２２）て、アンケート認識集計処理部２３０Ａが、その画像についてアンケート認識集計処理を実行（Ｓ２２３）する。ここでは、その画像から記入領域５１０Ａの記入欄に相当する部分画像を切り出して、その部分画像について画像処理を実行して、その部分画像からアンケートを認識して集計する。具体的に言うと、部分画像（アンケートに係る文字画像）についてＯＣＲ処理を実行して、文字画像を文字データに変換して、アンケートを認識して集計する。なお、部分画像の切出位置はここでは予め規定しておくものとする。
【００５０】
ここでは、図８Ａの原稿５００Ａ（アンケート用紙）について説明したが、図８Ｂの原稿５００Ｂ（注文用紙）についても同様である。
【００５１】
このように、第２実施例では、スキャナ１００が、サーバコンピュータ２００ＡＢのような特定のサーバコンピュータ２００にアンケート認識集計処理や注文認識集計処理のような特定の情報処理を実行させるための画像が描画された原稿５００から画像を取得して、その画像から特定のサーバコンピュータ２００と特定の情報処理を特定して、特定されたサーバコンピュータ２００にその画像と特定の情報処理の特定結果を送信して、サーバコンピュータ２００が、スキャナ１００からその画像と特定の情報処理の特定結果を受信して、その画像について特定された情報処理を実行する。
【００５２】
これにより、第２実施例では、ＵＩ部１１２により送信先（サーバコンピュータ２００）を入力する入力操作が不要になり、ネットワーク４００を介してスキャナ１００からサーバコンピュータ２００に画像を送信するための操作が簡易化される。個々のユーザは、どのサーバコンピュータ２００に画像を送信するかを意識する必要がないのである。
【００５３】
さらに、第２実施例では、特定の情報処理の特定結果を利用することにより、１台のサーバコンピュータ２００で、２種類以上の原稿５００から取得された２種類以上の画像について２種類以上の情報処理を実行することが可能になり、情報処理システムのシステム構成が簡易化される。１種類の情報処理ごとに１台のサーバコンピュータ２００を用意する必要がないのである。
【００５４】
第２実施例では、１台のスキャナ１００と１台のサーバコンピュータ２００により構成される情報処理システムについて説明したが、本発明は、１台のスキャナ１００と２台以上のサーバコンピュータ２００により構成される情報処理システム、２台以上のスキャナ１００と１台のサーバコンピュータ２００により構成される情報処理システム、２台以上のスキャナ１００と２台以上のサーバコンピュータ２００により構成される情報処理システムについても同様に適用できる。
【００５５】
（第３実施例）
図１０は、情報処理システムの第３実施例を表す。図１０の情報処理システムは、スキャナ１００と、サーバコンピュータ２００ＡＢにより構成される。スキャナ１００は、図１のスキャナ１００であり、サーバコンピュータ２００ＡＢは、図２のサーバコンピュータ２００である。これらはイーサネット（登録商標）等のネットワーク４００により相互に接続される。
【００５６】
第３実施例では、図８の原稿（スキャン原稿）５００から画像（画像データ）を取得して、その画像について情報処理を実行する。第２実施例と同様である。
【００５７】
第３実施例では、図１０のように、スキャナ１００は、情報処理部１１３により実現される機能ブロックとして画像処理部１２０を備えるものとして、サーバコンピュータ２００ＡＢは、情報処理部２１３により実現される機能ブロックとして画像処理部２２０とアンケート認識集計処理部２３０Ａと注文認識集計処理部２３０Ｂとを備えるものとする。
【００５８】
以下、図１１のフローチャートに基づいて第３実施例について説明する。
【００５９】
スキャナ１００において、図８Ａの原稿５００Ａ（アンケート用紙）の記入領域５１０Ａの記入欄にアンケートが記入されて、撮像部１１０にその原稿５００Ａがセットされて、ＵＩ部１１２によりスキャンスタート操作が入力されると、撮像部１１０が、その原稿５００Ａの原稿面全体をスキャンして、その原稿５００Ａから画像を取得（Ｓ３１１）する。
【００６０】
続いて、画像処理部１２０が、その画像からサーバ名印刷領域５２０Ａに相当する部分画像を切り出し（Ｓ３１２）て、その部分画像について画像処理を実行して、その部分画像からサーバコンピュータ２００ＡＢを特定（Ｓ３１３）する。具体的に言うとここでは、部分画像（サーバ名に係る文字画像）についてＯＣＲ処理を実行して、文字画像を文字データに変換して、サーバコンピュータ２００ＡＢのサーバ名を取得することをもってサーバコンピュータ２００ＡＢを特定する。なお、部分画像の切出位置はここでは予め規定しておくものとする。
【００６１】
続いて、通信部１１１が、その部分画像から特定されたサーバコンピュータ２００ＡＢに画像（原稿５００Ａから取得された画像）を含む処理要求を送信（Ｓ３１４）する。具体的に言うとここでは、ＤＮＳ（Ｄｏｍａｉｎ  Ｎａｍｅ  Ｓｅｒｖｅｒ）に問い合わせて、サーバコンピュータ２００ＡＢのサーバ名からサーバコンピュータ２００ＡＢのＩＰアドレスを取得して、そのＩＰアドレスを利用してＴＣＰ／ＩＰでネットワーク４００を介してサーバコンピュータ２００ＡＢに画像を含む処理要求を送信する。
【００６２】
サーバコンピュータ２００ＡＢにおいて、通信部２１１が、画像（原稿５００Ａから取得された画像）を含む処理要求を受信（Ｓ３２１）すると、その処理要求に応じて、画像処理部２２０が、その画像から処理名印刷領域５３０Ａに相当する部分画像を切り出し（Ｓ３２２）て、その部分画像について画像処理を実行して、その部分画像からアンケート認識集計処理を特定（Ｓ３２３）する。具体的に言うとここでは、部分画像（処理名に係る文字画像）についてＯＣＲ処理を実行して、文字画像を文字データに変換して、アンケート認識集計処理の処理名を取得することをもってアンケート認識集計処理を特定する。なお、部分画像の切出位置はここでは予め規定しておくものとする。
【００６３】
続いて、情報処理部２１３が、アンケート認識集計処理の特定結果を利用してアンケート認識集計処理部２３０Ａにアンケート認識集計処理を振り分け（Ｓ３２４）て、アンケート認識集計処理部２３０Ａが、画像（原稿５００Ａから取得された画像）についてアンケート認識集計処理を実行（Ｓ３２５）する。ここでは、画像から記入領域５１０Ａの記入欄に相当する部分画像を切り出して、その部分画像について画像処理を実行して、その部分画像からアンケートを認識して集計する。具体的に言うと、部分画像（アンケートに係る文字画像）についてＯＣＲ処理を実行して、文字画像を文字データに変換して、アンケートを認識して集計する。なお、部分画像の切出位置はここでは予め規定しておくものとする。
【００６４】
ここでは、図８Ａの原稿５００Ａ（アンケート用紙）について説明したが、図８Ｂの原稿５００Ｂ（注文用紙）についても同様である。
【００６５】
このように、第３実施例では、スキャナ１００が、サーバコンピュータ２００ＡＢのような特定のサーバコンピュータ２００にアンケート認識集計処理や注文認識集計処理のような特定の情報処理を実行させるための画像が描画された原稿５００から画像を取得して、その画像から特定のサーバコンピュータ２００を特定して、特定されたサーバコンピュータ２００にその画像を送信して、サーバコンピュータ２００が、スキャナ１００からその画像を受信して、その画像から特定の情報処理を特定して、その画像について特定された情報処理を実行する。
【００６６】
これにより、第３実施例では、ＵＩ部１１２により送信先（サーバコンピュータ２００）を入力する入力操作が不要になり、ネットワーク４００を介してスキャナ１００からサーバコンピュータ２００に画像を送信するための操作が簡易化される。個々のユーザは、どのサーバコンピュータ２００に画像を送信するかを意識する必要がないのである。
【００６７】
さらに、第３実施例では、特定の情報処理の特定結果を利用することにより、１台のサーバコンピュータ２００で、２種類以上の原稿５００から取得された２種類以上の画像について２種類以上の情報処理を実行することが可能になり、情報処理システムのシステム構成が簡易化される。１種類の情報処理ごとに１台のサーバコンピュータ２００を用意する必要がないのである。
【００６８】
さらに、第３実施例では、サーバコンピュータ２００が画像から特定の情報処理を特定することにより、スキャナ１００の装置構成が簡易化される。スキャナ１００が画像から特定の情報処理を特定する必要がないのである。これにより例えば、サーバコンピュータ２００の設定変更等により新たな情報処理の追加等に対応できる柔軟な情報処理システムが実現される。
【００６９】
第３実施例では、１台のスキャナ１００と１台のサーバコンピュータ２００により構成される情報処理システムについて説明したが、本発明は、１台のスキャナ１００と２台以上のサーバコンピュータ２００により構成される情報処理システム、２台以上のスキャナ１００と１台のサーバコンピュータ２００により構成される情報処理システム、２台以上のスキャナ１００と２台以上のサーバコンピュータ２００により構成される情報処理システムについても同様に適用できる。
【００７０】
（第４実施例）
図１２は、情報処理システムの第４実施例を表す。図１２の情報処理システムは、スキャナ１００と、サーバコンピュータ２００Ａと、サーバコンピュータ２００Ｂと、中継処理用サーバコンピュータ３００により構成される。スキャナ１００は、図１のスキャナ１００であり、サーバコンピュータ２００Ａとサーバコンピュータ２００Ｂは、図２のサーバコンピュータ２００であり、中継処理用サーバコンピュータ３００は、図３の中継処理用サーバコンピュータ３００である。これらはイーサネット（登録商標）等のネットワーク４００により相互に接続される。
【００７１】
第４実施例では、図５の原稿（スキャン原稿）５００から画像（画像データ）を取得して、その画像について情報処理を実行する。第１実施例と同様である。
【００７２】
第４実施例では、図１２のように、中継処理用サーバコンピュータ３００は、情報処理部３１３により実現される機能ブロックとして画像処理部３２０を備えるものとして、サーバコンピュータ２００Ａは、情報処理部２１３により実現される機能ブロックとしてアンケート認識集計処理部２３０Ａを備えるものとして、サーバコンピュータ２００Ｂは、情報処理部２１３により実現される機能ブロックとして注文認識集計処理部２３０Ｂを備えるものとする。
【００７３】
以下、図１３のフローチャートに基づいて第４実施例について説明する。
【００７４】
スキャナ１００において、図５Ａの原稿５００Ａ（アンケート用紙）の記入領域５１０Ａの記入欄にアンケートが記入されて、撮像部１１０にその原稿５００Ａがセットされて、ＵＩ部１１２によりスキャンスタート操作が入力されると、撮像部１１０が、その原稿５００Ａの原稿面全体をスキャンして、その原稿５００Ａから画像を取得（Ｓ４１１）する。
【００７５】
続いて、通信部１１１が、中継処理用サーバコンピュータ３００に画像（原稿５００Ａから取得された画像）を含む処理要求を送信（Ｓ４１２）する。具体的に言うとここでは、既知のＩＰアドレスを利用してＴＣＰ／ＩＰでネットワーク４００を介して既知の中継処理用サーバコンピュータ３００に画像を含む処理要求を送信する。
【００７６】
中継処理用サーバコンピュータ３００において、通信部３１１が、画像（原稿５００Ａから取得された画像）を含む処理要求を受信（Ｓ４２１）すると、その処理要求に応じて、画像処理部３２０が、その画像からサーバ名印刷領域５２０Ａに相当する部分画像を切り出し（Ｓ４２２）て、その部分画像について画像処理を実行して、その部分画像からサーバコンピュータ２００Ａを特定（Ｓ４２３）する。Ｓ４２２とＳ４２３はそれぞれ、第１実施例のＳ１１２とＳ１１３と同様である。
【００７７】
続いて、通信部３１１が、その部分画像から特定されたサーバコンピュータ２００Ａに画像（原稿５００Ａから取得された画像）を含む処理要求を送信（Ｓ４２４）する。Ｓ４２４は、第１実施例のＳ１１４と同様である。
【００７８】
サーバコンピュータ２００Ａにおいて、通信部２１１が、画像（原稿５００Ａから取得された画像）を含む処理要求を受信（Ｓ４３１）すると、その処理要求に応じて、アンケート認識集計処理部２３０Ａが、その画像についてアンケート認識集計処理を実行（Ｓ４３２）する。Ｓ４３１とＳ４３２はそれぞれ、第１実施例のＳ１２１とＳ１２２と同様である。
【００７９】
ここでは、図５Ａの原稿５００Ａ（アンケート用紙）について説明したが、図５Ｂの原稿５００Ｂ（注文用紙）についても同様である。
【００８０】
このように、第４実施例では、スキャナ１００が、サーバコンピュータ２００Ａやサーバコンピュータ２００Ｂのような特定のサーバコンピュータ２００にアンケート認識集計処理や注文認識集計処理のような特定の情報処理を実行させるための画像が描画された原稿５００から画像を取得して、中継処理用サーバコンピュータ３００にその画像を送信して、中継処理用サーバコンピュータ３００が、スキャナ１００からその画像を受信して、その画像から特定のサーバコンピュータ２００を特定して、特定されたサーバコンピュータ２００にその画像を送信して、サーバコンピュータ２００が、中継処理用サーバコンピュータ３００からその画像を受信して、その画像について特定の情報処理を実行する。
【００８１】
これにより、第４実施例では、ＵＩ部１１２により送信先（サーバコンピュータ２００）を入力する入力操作が不要になり、ネットワーク４００を介してスキャナ１００からサーバコンピュータ２００に画像を送信するための操作が簡易化される。個々のユーザは、どのサーバコンピュータ２００に画像を送信するかを意識する必要がないのである。
【００８２】
さらに、第４実施例では、中継処理用サーバコンピュータ３００が画像から特定のサーバコンピュータ２００を特定することにより、スキャナ１００の装置構成が簡易化される。スキャナ１００が画像から特定のサーバコンピュータ２００を特定する必要がないのである。これにより例えば、中継用サーバコンピュータ３００の設定変更等により新たな情報処理の追加等に対応できる柔軟な情報処理システムが実現される。
【００８３】
第４実施例では、１台のスキャナ１００と２台以上のサーバコンピュータ２００と１台の中継処理用サーバコンピュータ３００により構成される情報処理システムについて説明したが、本発明は、１台のスキャナ１００と２台以上のサーバコンピュータ２００と２台以上の中継処理用サーバコンピュータ３００により構成される情報処理システムについても同様に適用できる。
【００８４】
さらに、１台のスキャナ１００と１台のサーバコンピュータ２００と１台又は２台以上の中継処理用サーバコンピュータ３００により構成される情報処理システム、２台以上のスキャナ１００と１台のサーバコンピュータ２００と１台又は２台以上の中継処理用サーバコンピュータ３００により構成される情報処理システム、２台以上のスキャナ１００と２台以上のサーバコンピュータ２００と１台又は２台以上の中継処理用サーバコンピュータ３００により構成される情報処理システムについても同様に適用できる。
【００８５】
（第５実施例）
図１４は、情報処理システムの第５実施例を表す。図１４の情報処理システムは、スキャナ１００と、サーバコンピュータ２００ＡＢと、中継処理用サーバコンピュータ３００により構成される。スキャナ１００は、図１のスキャナ１００であり、サーバコンピュータ２００ＡＢは、図２のサーバコンピュータ２００であり、中継処理用サーバコンピュータ３００は、図３の中継処理用サーバコンピュータ３００である。これらはイーサネット（登録商標）等のネットワーク４００により相互に接続される。
【００８６】
第５実施例では、図８の原稿（スキャン原稿）５００から画像（画像データ）を取得して、その画像について情報処理を実行する。第２実施例と同様である。
【００８７】
第５実施例では、図１４のように、中継処理用サーバコンピュータ３００は、情報処理部３１３により実現される機能ブロックとして画像処理部３２０を備えるものとして、サーバコンピュータ２００ＡＢは、情報処理部２１３により実現される機能ブロックとしてアンケート認識集計処理部２３０Ａと注文認識集計処理部２３０Ｂとを備えるものとする。
【００８８】
以下、図１５のフローチャートに基づいて第５実施例について説明する。
【００８９】
スキャナ１００において、図８Ａの原稿５００Ａ（アンケート用紙）の記入領域５１０Ａの記入欄にアンケートが記入されて、撮像部１１０にその原稿５００Ａがセットされて、ＵＩ部１１２によりスキャンスタート操作が入力されると、撮像部１１０が、その原稿５００Ａの原稿面全体をスキャンして、その原稿５００Ａから画像を取得（Ｓ５１１）する。
【００９０】
続いて、通信部１１１が、中継処理用サーバコンピュータ３００に画像（原稿５００Ａから取得された画像）を含む処理要求を送信（Ｓ５１２）する。具体的に言うとここでは、既知のＩＰアドレスを利用してＴＣＰ／ＩＰでネットワーク４００を介して既知の中継処理用サーバコンピュータ３００に画像を含む処理要求を送信する。
【００９１】
中継用サーバコンピュータ３００において、通信部３１１が、画像（原稿５００Ａから取得された画像）を含む処理要求を受信（Ｓ５２１）すると、その処理要求に応じて、画像処理部３２０が、その画像からサーバ名印刷領域５２０Ａと処理名印刷領域５３０Ａに相当する部分画像を切り出し（Ｓ５２２）て、その部分画像について画像処理を実行して、その部分画像からサーバコンピュータ２００ＡＢとアンケート認識集計処理を特定（Ｓ５２３）する。Ｓ５２２とＳ５２３はそれぞれ、第２実施例のＳ２１２とＳ２１３と同様である。
【００９２】
続いて、通信部３１１が、その部分画像から特定されたサーバコンピュータ２００ＡＢに画像（原稿５００Ａから取得された画像）とアンケート認識集計処理の特定結果を含む処理要求を送信（Ｓ５２４）する。Ｓ５２４は、第２実施例のＳ２１４と同様である。
【００９３】
サーバコンピュータ２００ＡＢにおいて、通信部２１１が、画像（原稿５００Ａから取得された画像）とアンケート認識集計処理の特定結果を含む処理要求を受信（Ｓ５３１）すると、その処理要求に応じて、情報処理部２１３が、その特定結果を利用してアンケート認識集計処理部２３０Ａにそのアンケート認識集計処理を振り分け（Ｓ５３２）て、アンケート認識集計処理部２３０Ａが、その画像についてアンケート認識集計処理を実行（Ｓ５３３）する。Ｓ５３１とＳ５３２とＳ５３３はそれぞれ、第２実施例のＳ２２１とＳ２２２とＳ２２３と同様である。
【００９４】
ここでは、図８Ａの原稿５００Ａ（アンケート用紙）について説明したが、図８Ｂの原稿５００Ｂ（注文用紙）についても同様である。
【００９５】
このように、第５実施例では、スキャナ１００が、サーバコンピュータ２００Ａやサーバコンピュータ２００Ｂのような特定のサーバコンピュータ２００にアンケート認識集計処理や注文認識集計処理のような特定の情報処理を実行させるための画像が描画された原稿５００から画像を取得して、中継処理用サーバコンピュータ３００にその画像を送信して、中継処理用サーバコンピュータ３００が、スキャナ１００からその画像を受信して、その画像から特定のサーバコンピュータ２００と特定の情報処理を特定して、特定されたサーバコンピュータ２００にその画像と特定の情報処理の特定結果を送信して、サーバコンピュータ２００が、中継処理用サーバコンピュータ３００からその画像と特定の情報処理の特定結果を受信して、その画像について特定された情報処理を実行する。
【００９６】
これにより、第５実施例では、ＵＩ部１１２により送信先（サーバコンピュータ２００）を入力する入力操作が不要になり、ネットワーク４００を介してスキャナ１００からサーバコンピュータ２００に画像を送信するための操作が簡易化される。個々のユーザは、どのサーバコンピュータ２００に画像を送信するかを意識する必要がないのである。
【００９７】
さらに、第５実施例では、特定の情報処理の特定結果を利用することにより、１台のサーバコンピュータ２００で、２種類以上の原稿５００から取得された２種類以上の画像について２種類以上の情報処理を実行することが可能になり、情報処理システムのシステム構成が簡易化される。１種類の情報処理ごとに１台のサーバコンピュータ２００を用意する必要がないのである。
【００９８】
さらに、第５実施例では、中継処理用サーバコンピュータ３００が画像から特定のサーバコンピュータ２００と特定の情報処理を特定することにより、スキャナ１００の装置構成が簡易化される。スキャナ１００が画像から特定のサーバコンピュータ２００と特定の情報処理を特定する必要がないのである。これにより例えば、中継用サーバコンピュータ３００の設定変更等により新たな情報処理の追加等に対応できる柔軟な情報処理システムが実現される。
【００９９】
第５実施例では、１台のスキャナ１００と１台のサーバコンピュータ２００と１台の中継処理用サーバコンピュータ３００により構成される情報処理システムについて説明したが、本発明は、１台のスキャナ１００と１台のサーバコンピュータ２００と２台以上の中継処理用サーバコンピュータ３００により構成される情報処理システムについても同様に適用できる。
【０１００】
さらに、１台のスキャナ１００と２台以上のサーバコンピュータ２００と１台又は２台以上の中継処理用サーバコンピュータ３００により構成される情報処理システム、２台以上のスキャナ１００と１台のサーバコンピュータ２００と１台又は２台以上の中継処理用サーバコンピュータ３００により構成される情報処理システム、２台以上のスキャナ１００と２台以上のサーバコンピュータ２００と１台又は２台以上の中継処理用サーバコンピュータ３００により構成される情報処理システムについても同様に適用できる。
【０１０１】
（第６実施例）
図１６は、情報処理システムの第６実施例を表す。図１６の情報処理システムは、スキャナ１００と、サーバコンピュータ２００ＡＢと、中継処理用サーバコンピュータ３００により構成される。スキャナ１００は、図１のスキャナ１００であり、サーバコンピュータ２００ＡＢは、図２のサーバコンピュータ２００であり、中継処理用サーバコンピュータ３００は、図３の中継処理用サーバコンピュータ３００である。これらはイーサネット（登録商標）等のネットワーク４００により相互に接続される。
【０１０２】
第６実施例では、図８の原稿（スキャン原稿）５００から画像（画像データ）を取得して、その画像について情報処理を実行する。第２実施例と同様である。
【０１０３】
第６実施例では、図１６のように、中継処理用サーバコンピュータ３００は、情報処理部３１３により実現される機能ブロックとして画像処理部３２０を備えるものとして、サーバコンピュータ２００ＡＢは、情報処理部２１３により実現される機能ブロックとして画像処理部２２０とアンケート認識集計処理部２３０Ａと注文認識集計処理部２３０Ｂとを備えるものとする。
【０１０４】
以下、図１７のフローチャートに基づいて第６実施例について説明する。
【０１０５】
スキャナ１００において、図８Ａの原稿５００Ａ（アンケート用紙）の記入領域５１０Ａの記入欄にアンケートが記入されて、撮像部１１０にその原稿５００Ａがセットされて、ＵＩ部１１２によりスキャンスタート操作が入力されると、撮像部１１０が、その原稿５００Ａの原稿面全体をスキャンして、その原稿５００Ａから画像を取得（Ｓ６１１）する。
【０１０６】
続いて、通信部１１１が、中継処理用サーバコンピュータ３００に画像（原稿５００Ａから取得された画像）を含む処理要求を送信（Ｓ６１２）する。具体的に言うとここでは、既知のＩＰアドレスを利用してＴＣＰ／ＩＰでネットワーク４００を介して既知の中継処理用サーバコンピュータ３００に画像を含む処理要求を送信する。
【０１０７】
中継処理用サーバコンピュータ３００において、通信部３１１が、画像（原稿５００Ａから取得された画像）を含む処理要求を受信（Ｓ６２１）すると、その処理要求に応じて、画像処理部３２０が、その画像からサーバ名印刷領域５２０Ａに相当する部分画像を切り出し（Ｓ６２２）て、その部分画像について画像処理を実行して、その部分画像からサーバコンピュータ２００ＡＢを特定（Ｓ６２３）する。Ｓ６２２とＳ６２３はそれぞれ、第３実施例のＳ３１２とＳ３１３と同様である。
【０１０８】
続いて、通信部３１１が、その部分画像から特定されたサーバコンピュータ２００ＡＢに画像（原稿５００Ａから取得された画像）を含む処理要求を送信（Ｓ６２４）する。Ｓ６２４は、第３実施例のＳ３１４と同様である。
【０１０９】
サーバコンピュータ２００ＡＢにおいて、通信部２１１が、画像（原稿５００Ａから取得された画像）を含む処理要求を受信（Ｓ６３１）すると、その処理要求に応じて、画像処理部２２０が、その画像から処理名印刷領域５３０Ａに相当する部分画像を切り出し（Ｓ６３２）て、その部分画像について画像処理を実行して、その部分画像からアンケート認識集計処理を特定（Ｓ６３３）する。Ｓ６３１とＳ６３２とＳ６３３はそれぞれ、第３実施例のＳ３２１とＳ３２２とＳ３２３と同様である。
【０１１０】
続いて、情報処理部２１３が、アンケート認識集計処理の特定結果を利用してアンケート認識集計処理部２３０Ａにアンケート認識集計処理を振り分け（Ｓ６３４）て、アンケート認識集計処理部２３０Ａが、画像（原稿５００Ａから取得された画像）についてアンケート認識集計処理を実行（Ｓ６３５）する。Ｓ６３４とＳ６３５はそれぞれ、第３実施例のＳ３２４とＳ３２５と同様である。
【０１１１】
ここでは、図８Ａの原稿５００Ａ（アンケート用紙）について説明したが、図８Ｂの原稿５００Ｂ（注文用紙）についても同様である。
【０１１２】
このように、第６実施例では、スキャナ１００が、サーバコンピュータ２００Ａやサーバコンピュータ２００Ｂのような特定のサーバコンピュータ２００にアンケート認識集計処理や注文認識集計処理のような特定の情報処理を実行させるための画像が描画された原稿５００から画像を取得して、中継処理用サーバコンピュータ３００にその画像を送信して、中継処理用サーバコンピュータ３００が、スキャナ１００からその画像を受信して、その画像から特定のサーバコンピュータ２００を特定して、特定されたサーバコンピュータ２００にその画像を送信して、サーバコンピュータ２００が、中継処理用サーバコンピュータ３００からその画像を受信して、その画像から特定の情報処理を特定して、その画像について特定された情報処理を実行する。
【０１１３】
これにより、第６実施例では、ＵＩ部１１２により送信先（サーバコンピュータ２００）を入力する入力操作が不要になり、ネットワーク４００を介してスキャナ１００からサーバコンピュータ２００に画像を送信するための操作が簡易化される。個々のユーザは、どのサーバコンピュータ２００に画像を送信するかを意識する必要がないのである。
【０１１４】
さらに、第６実施例では、特定の情報処理の特定結果を利用することにより、１台のサーバコンピュータ２００で、２種類以上の原稿５００から取得された２種類以上の画像について２種類以上の情報処理を実行することが可能になり、情報処理システムのシステム構成が簡易化される。１種類の情報処理ごとに１台のサーバコンピュータ２００を用意する必要がないのである。
【０１１５】
さらに、第６実施例では、中継処理用サーバコンピュータ３００とサーバコンピュータ２００が画像から特定のサーバコンピュータ２００と特定の情報処理をそれぞれ特定することにより、スキャナ１００の装置構成が簡易化される。スキャナ１００が画像から特定のサーバコンピュータ２００と特定の情報処理を特定する必要がないのである。これにより例えば、中継用サーバコンピュータ３００とサーバコンピュータ２００の設定変更等により新たな情報処理の追加等に対応できる柔軟な情報処理システムが実現される。
【０１１６】
第６実施例では、１台のスキャナ１００と１台のサーバコンピュータ２００と１台の中継処理用サーバコンピュータ３００により構成される情報処理システムについて説明したが、本発明は、１台のスキャナ１００と１台のサーバコンピュータ２００と２台以上の中継処理用サーバコンピュータ３００により構成される情報処理システムについても同様に適用できる。
【０１１７】
さらに、１台のスキャナ１００と２台以上のサーバコンピュータ２００と１台又は２台以上の中継処理用サーバコンピュータ３００により構成される情報処理システム、２台以上のスキャナ１００と１台のサーバコンピュータ２００と１台又は２台以上の中継処理用サーバコンピュータ３００により構成される情報処理システム、２台以上のスキャナ１００と２台以上のサーバコンピュータ２００と１台又は２台以上の中継処理用サーバコンピュータ３００により構成される情報処理システムについても同様に適用できる。
【０１１８】
（変形例）
第１実施例と第４実施例では、図５の原稿５００から画像を取得して、その画像について情報処理を実行したが、その代わりに、図１８の原稿５００から画像を取得して、その画像について情報処理を実行するようにしてもよい。
【０１１９】
図１８Ａの原稿５００Ａはアンケート用紙であり、アンケートを記入するための記入領域５１０Ａと、サーバコンピュータ２００Ａのサーバ名がバーコード化されて印刷されたサーバ名印刷領域５２０Ａにより構成される。
【０１２０】
図１８Ｂの原稿５００Ｂは注文用紙であり、注文を記入するための記入領域５１０Ｂと、サーバコンピュータ２００Ｂのサーバ名がバーコード化されて印刷されたサーバ名印刷領域５２０Ｂにより構成される。
【０１２１】
変形例では、このように、サーバ名に係る文字画像が印刷される代わりに、サーバ名に係る符号画像が印刷される。文字画像を文字データに変換する処理にはＯＣＲ処理を利用したが、符合画像を符号データに変換する処理にはバーコード処理等を利用することができる。なお、サーバ名をバーコード化する代わりに、ＩＰアドレスをバーコード化してもよい。また、サーバ名を対応表により数字と対応させて、その数字をバーコード化してもよい。
【０１２２】
第２実施例と第３実施例と第５実施例と第６実施例では、図８の原稿５００から画像を取得して、その画像について情報処理を実行したが、その代わりに、図１９の原稿５００から画像を取得して、その画像について情報処理を実行するようにしてもよい。
【０１２３】
図１９Ａの原稿５００Ａはアンケート用紙であり、アンケートを記入するための記入領域５１０Ａと、サーバコンピュータ２００ＡＢのサーバ名がバーコード化されて印刷されたサーバ名印刷領域５２０Ａと、アンケート認識集計処理の処理名がバーコード化されて印刷された処理名印刷領域５３０Ａにより構成される。
【０１２４】
図１９Ｂの原稿５００Ｂは注文用紙であり、注文を記入するための記入領域５１０Ｂと、サーバコンピュータ２００ＡＢのサーバ名がバーコード化されて印刷されたサーバ名印刷領域５２０Ｂと、注文認識集計処理の処理名がバーコード化されて印刷された処理名印刷領域５３０Ｂにより構成される。
【０１２５】
変形例では、このように、サーバ名と処理名に係る文字画像が印刷される代わりに、サーバ名と処理名に係る符号画像が印刷される。文字画像を文字データに変換する処理にはＯＣＲ処理を利用したが、符合画像を符号データに変換する処理にはバーコード処理等を利用することができる。なお、サーバ名をバーコード化する代わりに、ＩＰアドレスをバーコード化してもよい。また、サーバ名と処理名を対応表により数字と対応させて、その数字をバーコード化してもよい。
【０１２６】
なお、文字画像を印刷する代わりに符号画像を印刷することには、認識精度が向上するなどのメリットがある。通常、文字画像を文字データに変換する処理の精度より、符合画像を符号データに変換する処理の精度の方が高いからである。
【０１２７】
【発明の効果】
このように、本発明は、スキャン装置が原稿から画像を取得して、情報処理装置がその画像について情報処理を実行するような情報処理システムに関して、ネットワーク等を介してスキャン装置から情報処理装置に画像を送信するための操作を簡易化することを可能にする。
【図面の簡単な説明】
【図１】本発明の実施の形態の例であるスキャナを表す。
【図２】本発明の実施の形態の例であるサーバコンピュータを表す。
【図３】本発明の実施の形態の例である中継処理用サーバコンピュータを表す。
【図４】情報処理システムの第１実施例を表す。
【図５】原稿（スキャン原稿）を表す。
【図６】第１実施例について説明するためのフローチャートである。
【図７】情報処理システムの第２実施例を表す。
【図８】原稿（スキャン原稿）を表す。
【図９】第２実施例について説明するためのフローチャートである。
【図１０】情報処理システムの第３実施例を表す。
【図１１】第３実施例について説明するためのフローチャートである。
【図１２】情報処理システムの第４実施例を表す。
【図１３】第４実施例について説明するためのフローチャートである。
【図１４】情報処理システムの第５実施例を表す。
【図１５】第５実施例について説明するためのフローチャートである。
【図１６】情報処理システムの第６実施例を表す。
【図１７】第６実施例について説明するためのフローチャートである。
【図１８】原稿（スキャン原稿）を表す。
【図１９】原稿（スキャン原稿）を表す。
【符号の説明】
１００  スキャナ
１１０  撮像部
１１１  通信部
１１２  ＵＩ部
１１３  情報処理部
１２０  画像処理部
２００  サーバコンピュータ
２１１  通信部
２１２  ＵＩ部
２１３  情報処理部
２２０  画像処理部
２３０  認識集計処理部
３００  中継処理用サーバコンピュータ
３１１  通信部
３１２  ＵＩ部
３１３  情報処理部
３２０  画像処理部
４００  ネットワーク
５００  原稿（スキャン原稿）
５１０  記入領域
５２０  サーバ名印刷領域
５３０  処理名印刷領域
【図１】
2004310297.tif 000003
【図２】
2004310297.tif 000004
【図３】
2004310297.tif 000005
【図４】
2004310297.tif 000006
【図５】
2004310297.tif 000007
【図６】
2004310297.tif 000008
【図７】
2004310297.tif 000009
【図８】
2004310297.tif 000010
【図９】
2004310297.tif 000011
【図１０】
2004310297.tif 000012
【図１１】
2004310297.tif 000013
【図１２】
2004310297.tif 000014
【図１３】
2004310297.tif 000015
【図１４】
2004310297.tif 000016
【図１５】
2004310297.tif 000017
【図１６】
2004310297.tif 000018
【図１７】
2004310297.tif 000019
【図１８】
2004310297.tif 000020
【図１９】
2004310297.tif 000021